(57)【特許請求の範囲】
【請求項１】
直列接続された高圧部抵抗器と低圧部抵抗器からなる分圧器であって、高圧部抵抗器の高圧側の一端を供試開閉器の高圧側のＥ点に接続し、低圧部抵抗器の一端を供試開閉器の低圧側のＦ点に接続し、この低圧部抵抗器の両端に測定器を接続して開閉器遮断時のアーク電圧を測定するものにおいて
前記分圧器は、高圧部抵抗器と低圧部抵抗器の接続点に誘導キャンセル用抵抗器の一端を接続し、この誘導キャンセル用抵抗器の他端を前記供試開閉器の接地側Ｇ点に接続すると共に、前記接続点Ｅ，Ｆ間で生じるドロップ電圧と接続点Ｆ，Ｇ間で生じるドロップ電圧をほぼ等しくし、Ｅ，Ｆ間のドロップ電圧で流れる電流とＦ，Ｇ間のドロップ電圧で流れる電流とが逆位相となるよう構成したことを特徴とした開閉器遮断試験アーク電圧計測用分圧器。
【発明の詳細な説明】
【０００１】
【発明の属する技術分野】
開閉器類の短絡試験におけるアーク電圧を計測するための開閉器遮断試験アーク電圧計測用分圧器に関する。
【０００２】
【従来の技術】
遮断器等開閉器類の短絡電流遮断試験は、図４に示すように、短絡発電機ＡＧに供試開閉器ＣＢを接続し、供試開閉器ＣＢと並列に高圧部抵抗器ＲＨと低圧部抵抗器ＲＬからなる分圧器１０を接続し、低圧部抵抗器ＲＬの両端子を測定器２に接続し、供試開閉器ＣＢに短絡発電機ＡＧから短絡電流を流しておいて供試開閉器ＣＢを開極させ、この供試開閉器ＣＢの開極時に発生する極間のアーク電圧、アーク時間を測定器２で計測している。図６にアーク電圧測定波形示す。
【０００３】
【発明が解決しようとする課題】
上記分圧器１０を用いて供試開閉器ＣＢの極間のアーク電圧、アーク時間を計測した場合、低圧部抵抗器ＲＬから出力されるアーク電圧の測定値は、図５に示すように供試開閉器ＣＢの遮断部に発生する電流と同位相のアーク電圧と、供試開閉器ＣＢの電源端子側及び接地端子側導体３、４に発生する電流より進んだ位相のドロップ電圧の合成値となる。従って、このアーク電圧測定値から、アーク電圧波形形態観測、アーク電圧値計測、アークエネルギー計算等を行う場合、分圧器出力をそのまま利用することは不可である。
【０００４】
そこで、予め実試験前に供試開閉器ＣＢを閉極の状態で電流通電し、導体３、４の分圧器１０接続点間のドロップ電圧を測定し、波形をメモリ付記録装置に記録しておき、遮断試験時の分圧器測定波形からメモリの波形を差し引きアーク電圧波形を求める必要がある。あるいは、電流波形からドロップ電圧波形を予測演算し分圧器出力波形から差し引いてアーク電圧波形を求める必要がある。
【０００５】
しかしながら、それらの方法では通電電流値、通電開始位相等を導体３、４の分圧器１０接続点間のドロップ電圧測定時と遮断試験時とで全く合致させることは難しく、また、演算のための供試開閉器ＣＢの導体のＬ，Ｒ成分を計測、算出が必要となる。さらに、試験実施後に演算処理作業となるため、試験直後のアーク電圧波形、アークエネルギー等が得られない。
【０００６】
本発明は、上記課題を解決すべくなされたものであり、開閉器遮断試験において、アーク電圧のみの電圧波形が得られ前もって導体のドロップ電圧を測定する試験が不要となる開閉器遮断試験アーク電圧計測用分圧器を提供することを目的とする。
【０００７】
【課題を解決するための手段】
本発明は、直列接続された高圧部抵抗器と低圧部抵抗器からなる分圧器であって、高圧部抵抗器の高圧側の一端を供試開閉器の高圧側のＥ点に接続し、低圧部抵抗器の一端を供試開閉器の低圧側のＦ点に接続し、この低圧部抵抗器の両端に測定器を接続して開閉器遮断時のアーク電圧を測定するものにおいて
前記分圧器は、高圧部抵抗器と低圧部抵抗器の接続点に誘導キャンセル用抵抗器の一端を接続構成し、この誘導キャンセル用抵抗器の他端を前記供試開閉器の接地側Ｇ点に接続すると共に、前記接続点Ｅ，Ｆ間で生じるドロップ電圧と接続点Ｆ，Ｇ間で生じるドロップ電圧をほぼ等しくし、Ｅ，Ｆ間のドロップ電圧で流れる電流とＦ，Ｇ間のドロップ電圧で流れる電流とが逆位相となるよう構成したことを特徴としたものである。
【０００８】
【発明の実施の形態】
実施形態１
図１に本発明の実施形態１に係る開閉器遮断試験アーク電圧計測用分圧器の接続図を示す。開閉器遮断試験アーク電圧計測用分圧器１は、電圧印加側高圧部抵抗器ＲＨ１とこの高圧部抵抗器ＲＨ１と直列に接続された電圧印加側接地アース側共通低圧部抵抗器ＲＬ１および抵抗器ＲＨ１、ＲＬ１の接続点Ｂに一端が接続された接地アース側誘導キャンセル高圧部抵抗器ＲＨ２で構成されている。
【０００９】
分圧器１の高圧部抵抗器ＲＨ１の高圧側端子Ａは供試開閉器ＣＢの短絡発電機接続導体３のＥ点に接続され、誘導キャンセル高圧部抵抗器ＲＨ２のアース側端子Ｄは供試開閉器ＣＢ接地側導体４の接地側端の点Ｇに接続され、低圧部抵抗器ＲＬ１のアース側端子Ｃは接地側導体４の点Ｆに接続される。また、低圧部抵抗器ＲＬ１の両端子（分圧器１の出力端子）を測定器２に接続する。上記接続点Ｆ、Ｇの位置は、「ＥＦ間ドロップ電圧＝ＦＧ間ドロップ電圧」となるようにする。
【００１０】
以上のように分圧器１は接続されて使用されるので、低圧部抵抗器ＲＬ１に流れるＥＦ間ドロップ電圧による電流ｉ１とＦＧ間ドロップ電圧による電流ｉ２が同一で逆位相となるためキャンセルされ、分圧器１の出力はＥＦ間ドロップ電圧が含まれないアーク電圧のみとなる。従って、このアーク電圧測定値から、アーク電圧波形形態観測、アーク電圧値計測、アークエネルギー計算等を行う場合、分圧器出力をそのまま利用することができる。図２に測定器２によるアーク電圧測定波形を示す。
【００１１】
実施形態２
図３に本発明の実施形態２に係る開閉器遮断試験アーク電圧計測用分圧器の接続図を示す。図３の開閉器遮断試験アーク電圧計測用分圧器１ａは、ＥＦ間ドロップ電圧が大きすぎて「ＥＦ間ドロップ電圧＝ＦＧ間ドロップ電圧」にできない場合に好適なものである。上記実施の形態１（図１）の分圧器１との相違点は、分圧器の接地アース側誘導チャンセル高圧部抵抗器を可変抵抗器ＲＨ２ａとした点にある。可変抵抗器ＲＨ２ａは摺動形、切替形等いずれのものでもよい。
【００１２】
この開閉器遮断試験回路によれば、接地アース側誘導チャンセル高圧部可変抵抗器ＲＨ２ａの抵抗値を変えることにより低圧部抵抗器ＲＬ１に流れるＦＧ間ドロップ電圧による電流ｉ２を調整することができる。従って、ＥＦ間ドロップ電圧が大きすぎて、「ＥＦ間ドロップ電圧＝ＦＧ間ドロップ電圧」にできない場合でも、この可変抵抗器ＲＨ２ａの抵抗値を変えることにより、低圧部抵抗器ＲＬ１に流れるＥＦ間ドロップ電圧による電流ｉ１とＦＧ間ドロップ電圧による逆位相の電流ｉ２を同一として、低圧部抵抗器ＲＬ１に流れるＥＦ間ドロップ電圧による電流ｉ１をＦＧ間ドロップ電圧による電流ｉ２でキャンセルさせることができる。そのため分圧器１ａの出力は、ＥＦ間ドロップ電圧が含まれないアーク電圧のみとなる。
【００１３】
【発明の効果】
本発明は、上述のとおり構成されているので、以下に記載する効果を奏する。
【００１４】
（１）アーク電圧のみの電圧波形が得られるためアークエネルギー計算の精度向上が図られる。
（２）前もって導体のドロップ電圧を測定する試験が不要となる。
（３）試験後の波形修正演算処理が不用のため、リアルタイムにアーク電圧波形の観測ができる。
【図面の簡単な説明】
【図１】本発明の実施形態１に係る開閉器遮断試験用アーク電圧計測用分圧器の接続図。
【図２】本発明によるアーク電圧測定波形図。
【図３】本発明の実施形態１に係る開閉器遮断試験用アーク電圧計測用分圧器の接続図。
【図４】従来例に係る開閉器遮断試験用アーク電圧計測用分圧器の接続図。
【図５】従来例に係る供試遮断器の電流、電圧等と分圧器出力波形の関係説明図。
【図６】従来例にによるアーク電圧測定波形図。
【符号の説明】
１、１ａ、１０…分圧器
ＲＨ１…分圧器の高圧部抵抗器
ＲＬ１…分圧器の低圧部抵抗器
ＲＨ２…分圧器の誘導キャンセル部高圧部抵抗器
ＣＢ…供試遮断器
ＡＧ…短絡発電機
【図１】
0004100035.tif 000002
【図２】
0004100035.tif 000003
【図３】
0004100035.tif 000004
【図４】
0004100035.tif 000005
【図５】
0004100035.tif 000006
【図６】
0004100035.tif 000007